(57)【要約】【課題】困難な環境条件に対する高いシール性を同時に有する、ロックおよびロック解除のための簡単な軸方向のスライディング装置を備えた差込み接続器を提供する。【解決手段】当該差込み接続器のベースボディ１０に少なくとも１つの係止金属薄板３０が配置されており、該係止金属薄板が、折り曲げられた係止体３１を有しており、スリーブ２０の差込み側に、該スリーブ内に向けられた楔部２４が一体成形されており、係止金属薄板の、折り曲げられた係止体が、楔部の滑り斜面２５に載置するようになっており、係止体が、スリーブの引込み時に楔部の滑り斜面で走行するようになっており、当該差込み接続器と対応コネクタとの、差し込まれた差込み接続時に、係止金属薄板に設けられたロックフック３２が、対応コネクタ５に成形された凹部から持ち上げられるようになっているようにした。【選択図】図４
2007273469.tif 000002
【特許請求の範囲】
【請求項１】
金属製の差込み接続器（１）であって、当該差込み接続器（１）が、コネクタインサートを収容するためのベースボディ（１０）と、該ベースボディを取り囲む、対応コネクタ（５）にロックするための移動可能なスリーブ（２０）とから形成されている形式のものにおいて、
当該差込み接続器のベースボディ（１０）に少なくとも１つの係止金属薄板（３０）が配置されており、該係止金属薄板（３０）が、折り曲げられた係止体（３１）を有しており、スリーブ（２０）の差込み側に、該スリーブ内に向けられた楔部（２４）が一体成形されており、係止金属薄板（３０）の、折り曲げられた係止体（３１）が、楔部（２４）の滑り斜面（２５）に載置するようになっており、係止体（３１）が、スリーブ（２０）の引込み時に楔部（２４）の滑り斜面（２５）で走行するようになっており、当該差込み接続器（１）と対応コネクタ（３）との、差し込まれた差込み接続時に、係止金属薄板（３０）に設けられたロックフック（３２）が、対応コネクタ（５）に成形された凹部（６）から持ち上げられるようになっていることを特徴とする、金属製の差込み接続器。
【請求項２】
楔部（２４）が、差込み側でスリーブ（２０）の内室に向けられてブロックとして形成されている、請求項１記載の差込み接続器。
【請求項３】
係止金属薄板（３０）が、折り曲げられた２つの係止エレメント（３４，３４’）を有しており、両係止エレメント（３４，３４’）に係止開口（３５）が設けられている、請求項１記載の差込み接続器。
【請求項４】
係止開口（３５）の一方に、ばね弾性的な係止フック（３６）が形成されている、請求項３記載の差込み接続器。
【請求項５】
全周にわたって延びる溝（１８）内に嵌め込みたいシールリング（８）が、当該差込み接続器（１）のベースボディ（１０）と、対応コネクタ（３）の差込みスリーブ（４）との間に配置されている、請求項１記載の差込み接続器。
【請求項６】
スライディングスリーブ（２０）が、内部に一体成形された係止フック（１７）と、係止金属薄板（３０）の、係止フック（１７）にロックする係止フック（３６）とによって、移動可能であるものの、紛失に対して安全にベースボディ（１０）に保持されている、請求項１記載の差込み接続器。
【発明の詳細な説明】
【技術分野】
【０００１】
本発明は、金属製の差込み接続器であって、当該差込み接続器が、コネクタインサートを収容するためのベースボディと、該ベースボディを取り囲む、対応コネクタにロックするための移動可能なスリーブとから形成されている形式のものに関する。
【背景技術】
【０００２】
このような形式の差込み接続器は、機械的に強く負荷され得る、困難な環境条件下での使用のために設けられた差込み接続部に、簡単に差し込みたいロック可能な装置を設けるために必要になる。
【０００３】
ドイツ連邦共和国特許出願公告第１０２３６２７５号明細書に基づき、差込み接続部のためのロック装置が示されている。このロック装置では、差込みハウジングに一体成形された係止手段が、対応コネクタに設けられた相応の係止切欠き内に進入し、軸方向に移動可能なスライディングスリーブによって再びロック解除可能である。
【０００４】
しかし、このような形式の公知の差込み接続部は過酷な産業周辺で使用することができない。
【特許文献１】ドイツ連邦共和国特許出願公告第１０２３６２７５号明細書
【発明の開示】
【発明が解決しようとする課題】
【０００５】
したがって、本発明の課題は、冒頭で述べた形式の金属製の差込み接続器を改良して、困難な環境条件に対する高いシール性を同時に有する、ロックおよびロック解除のための簡単な軸方向のスライディング装置を備えた差込み接続器を提供することである。
【課題を解決するための手段】
【０００６】
この課題を解決するための本発明の構成では、当該差込み接続器のベースボディに少なくとも１つの係止金属薄板が配置されており、該係止金属薄板が、折り曲げられた係止体を有しており、スリーブの差込み側に、該スリーブ内に向けられた楔部が一体成形されており、係止金属薄板の、折り曲げられた係止体が、楔部の滑り斜面に載置するようになっており、係止体が、スリーブの引込み時に楔部の滑り斜面で走行するようになっており、当該差込み接続器と対応コネクタとの、差し込まれた差込み接続時に、係止金属薄板に設けられたロックフックが、対応コネクタに成形された凹部から持ち上げられるようになっているようにした。
【０００７】
本発明の有利な構成は、請求項２〜６に記載してある。
【発明の効果】
【０００８】
本発明によって得られる利点は、特に軸方向で作用する比較的簡単なコネクタロック、いわゆる「プッシュプル原理」により、差込み接続部を困難な環境条件下での使用のためにも形成することができることにある。この場合、念のために付言しておくと、軸方向でロック可能な公知の差込み接続器は、しばしば、貫通孔、外向きに作用するロック手段およびこれに類するものを有しており、これによって、産業周辺での差込み接続器の使用は許容され得ない。したがって、特別な利点は、機械的に高負荷可能な金属製の差込み接続器を小さな寸法で最大ＩＰ６７まで、すなわち、「防水性」に製造することができ、軸方向の短い押進め量（約２ｍｍ）で対応コネクタから分離することができることにある。さらに、相応のスライディングスリーブによって取り囲まれた、方形に成形された、たとえば亜鉛射出成形ハウジング内にコネクタインサートが位置決めされている。スライディングスリーブとベースボディとの間には、それぞれ反対に位置する側に２つの係止金属薄板が保持されている。両係止金属薄板はさらにロックフックを有している。さらに、ベースハウジングでは、溝内にシールリングが保持されている。このシールリングは、差込み過程時に対応コネクタのスリーブ内に押し込まれ、湿分に対するシーリングを確保している。同時に、スライディングスリーブは、コネクタのロック装置によって対応コネクタスリーブの外面に被せ嵌められる。さらに、有利には、コネクタスリーブに係止切欠きが設けられている。この係止切欠き内には、ロックフックが係止する。スライディングスリーブの引込み時には、ロックフックが、有利には係止切欠きから持ち上げられ、差込み接続器を対応コネクタから取り外すことができる。
【発明を実施するための最良の形態】
【０００９】
以下に、本発明を実施するための最良の形態を図面につき詳しく説明する。
【００１０】
図１には、対応コネクタ３に接続可能な、いわゆる「プッシュプル式の差込み接続器１」が、引き離されて示してある。この場合、対応コネクタ３は、ハウジング壁にフランジ接続可能なハウジングを備えていて、差込みスリーブ４を有している。この差込みスリーブ４には、差込み接続器１が被嵌め可能である。
【００１１】
図２ａには、１つのベースボディ１０と２つの係止金属薄板３０とを備えた金属製の差込み接続器１の一部が、引き離されて示してある。ベースボディ１０は、ケーブル接続側１２と、コネクタインサート（図示せず）を収容するための差込み側１１とを備えた、原理的にスリーブ状の射出成形部材として形成されている。差込み側１１では、ベースボディ１０に係止舌片１３が一体成形されている。この係止舌片１３によって、コネクタインサート（図示せず）がベースボディ１０内にロック可能となり、曲離しによってベースボディからコネクタインサートを再びリリースする。
【００１２】
ケーブル接続側１２は、相応の電気的なケーブルのための開口を備えた後壁と、２つの横方向リブ１４とを有している。両横方向リブ１４には、スライディングスリーブ２０が、均一に間隔を置いてベースボディ１０に移動可能に案内されている。
【００１３】
ベースボディ１０の上下には、鋼薄板から製造された係止金属薄板３０が配置されている。この係止金属薄板３０は、主として、平らな金属薄板として成形されて、反対に位置する側で約９０゜だけ折り曲げられた２つの係止エレメント３４，３４’を有している。両係止エレメント３４，３４’には、係止開口３５が設けられている。さらに、係止金属薄板３０には、差込み接続器のスライディング軸線に対して延びる長手方向スリット３３が設けられている。さらに、係止金属薄板３０には、ベースボディ軸線に対して長手方向で三面で解放された２つのロックフック３２が設けられている。両ロックフック３２は、少なくとも１つの金属薄板厚さだけ押進め方向と逆方向で金属薄板ディスクに対して下方にかつ平行に曲げられている。前側では、係止金属薄板が、約３０゜だけ外方に曲げられた係止体３１を有している。この係止体３１の機能はさらに以下で説明する。
【００１４】
ベースボディ１０には、同一の両係止金属薄板３０を保持するために、それぞれ１つのウェブ１５と、側面に設けられた２つの係止突起１６とが設けられている。ウェブ１５は長手方向スリット３３内に係合する。両係止突起１６は、折り曲げられた係止エレメント３４，３４’に設けられた係止開口３５内に係止する。付加的には、ウェブ１５に対して横方向に横方向リブ１４の方向でスペーサ１９がベースボディに一体成形されている。このスペーサ１９は係止金属薄板３０をベースボディから最小間隔を置いて保持する。
【００１５】
図３に縦断面図で示したスライディングスリーブ２０は、ほぼ直方体状のスリーブボディとして形成されていて、差込み側にカラー２２を有している。このカラー２２は、反対に位置する側の２つの側壁に、スリーブボディの、高められた成形部２３として形成されている。カラー２２には、ほぼ中間に、スライディングスリーブの内部に向けられた楔部２４が一体成形されており、しかも、楔部先端がスリーブ内に向けられていて、楔部斜面２５が外壁に向かってカラーの方向に延びている、すなわち、差込み方向と逆方向に延びているように一体成形されている。さらに、スリーブの外面には、スライディング方向に対して横方向に成形された複数のリブ２１が設けられている。これらのリブ２１は、ベースボディ１０でのスリーブ２０の移動を容易にする。
【００１６】
差込み接続器の組付け時には、まず、図２ｂに示したように、両係止金属薄板３０がベースボディ１０に係止される。次いで、スライディングスリーブ２０が差込み方向１１からベースボディに被せ嵌められる。この場合、スリーブ２０の内部には、図３の断面図に見ることができるように、係止フック１７が一体成形されている。この係止フック１７には、ばね弾性的な係止フック３６が係止する。この係止フック３６は、折り曲げられた係止エレメント３４，３４’から側方に突出している。したがって、スライディングスリーブ２０が、確かに、規定された量だけ軸方向に移動可能であるものの、紛失に対して安全にベースボディ１０に保持されている。同時に、組付け過程時には、それぞれ内方に向けられた楔部２４が、スライディングスリーブ２０のカラー２２に設けられた滑り斜面２５で係止金属薄板３０の係止体３１の下方に押し進められ、これによって、折り曲げられた係止体３１が、スライディングスリーブの各押込み位置で滑り斜面２５に載置している。
【００１７】
著しく拡大した図４には、両コネクタ１，３のロック位置が軸方向の断面図で示してある。この場合、明確に認めることができるように、係止体３１が楔部２４の滑り斜面２５に載置している。スライディングスリーブ２０が、両コネクタのロック解除のために差込み方向と逆方向に引き込まれると、楔部２４の滑り斜面２５が、折り曲げられた係止体３１の下方に徐々に押し進められる。これによって、ロックフック３２が、差込みスリーブ４に設けられた切欠き５から持ち上げられ、コネクタ１を対応コネクタ３から取り外すことができる。シールリング８を対応コネクタ３の切欠き５の近くに配置することは有利であり、これによって、シールリング８の、半径方向に作用する力が、差込みスリーブ４を外方に押圧しようとするのに対して、この場合、ロックフック３２は確実に切欠き５内に進入している。
【００１８】
図５には、コネクタ１と対応コネクタ３との間のロック部の詳細な部分が斜視的な部分断面図で示してある。したがって、どのようにコネクタ１のベースボディ１０が対応コネクタ３の差込みスリーブ４の内部に押し込まれており、これによって、ベースボディ１０に設けられたシールリング８が差込みスリーブ４の内壁を押圧していて、環境影響に対する最終的なシーリングを行っているのに対して、差込み側のカラー２２での、差込みスリーブ４の外壁に密に接触するスライディングスリーブ２０のカバー作用による、たとえばダストに対する最初のフィルタリングが行われていることを明確に認めることができる。
【図面の簡単な説明】
【００１９】
【図１】差込み接続器と対応コネクタとの等尺の部分断面図である。
【図２ａ】間隔を置いて配置された係止金属薄板を備えた差込み接続器のベースハウジングの斜視図である。
【図２ｂ】ベースハウジングに組み付けられた係止金属薄板を備えた斜視図である。
【図３】スライディングスリーブの斜視的な断面図である。
【図４】係止機構の著しい拡大図である。
【図５】差込み接続器と対応コネクタとの間のロック機構の斜視的な部分断面図である。
【符号の説明】
【００２０】
１  差込み接続器、  ３  対応コネクタ、  ４  差込みスリーブ、  ５  切欠き、  ８  シールリング、  １０  ベースボディ、  １１  差込み側、  １２  ケーブル接続側、  １３  係止舌片、  １４  横方向リブ、  １５  ウェブ、  １６  係止突起、  １７  係止フック、  １８  溝、  １９  スペーサ、  ２０  スライディングスリーブ、  ２１  リブ、  ２２  カラー、  ２３  成形部、  ２４  楔部、  ２５  滑り斜面、  ３０  係止金属薄板、  ３１  係止体、  ３２  ロックフック、  ３３  長手方向スリット、  ３４，３４’  係止エレメント、  ３５  係止開口、  ３６  係止フック
【図１】
2007273469.tif 000003
【図２ａ】
2007273469.tif 000004
【図２ｂ】
2007273469.tif 000005
【図３】
2007273469.tif 000006
【図４】
2007273469.tif 000007
【図５】
2007273469.tif 000008